(57)【要約】      （修正有）【課題】飾り物が落下しにくく、しかも飾り物について上方だけではなく、側方からも照明を当てることができる照明付き飾り棚を提供する。【解決手段】周囲に複数の貫通孔１１が設けられた環状板１２と、環状板１２の下部後ろ側に底板１３を介して連結される背面板１４と、環状板１２の下半分と背面板１４とを連結し、底板１３の上に載せた飾り物の落下を防止する柵材１６〜１９と、環状板１２の内側円２１に沿って設けられ、飾り物を上方及び側方から照明する発光ダイオード群２２と、発光ダイオード群２２の電源部２３とを有する。【選択図】図１
0003173402.tif 000002
【実用新案登録請求の範囲】
【請求項１】
前後に貫通する複数の孔が設けられた正面視して円形の環状板と、該環状板の下部後ろ側に底板を介して連結される背面板と、前記環状板の下半分と前記背面板とを連結し、前記底板の上に載せる飾り物の落下を防止する左右の柵材と、前記環状板の内側円に沿って設けられ、前記飾り物を上方及び側方から照明する発光ダイオード群と、該発光ダイオード群に電力を供給する電源部とを有することを特徴とする照明付き飾り棚。
【請求項２】
請求項１記載の照明付き飾り棚において、前記背面板は前記環状板の内側円より直径の小さい円板であって、上部に該照明付き飾り棚を壁に掛ける掛止孔が設けられていることを特徴とする照明付き飾り棚。
【請求項３】
請求項１又は２記載の照明付き飾り棚において、前記底板の上には補助台があって、該補助台を介して前記飾り物が前記底板の上に載置されることを特徴とする照明付き飾り棚。
【請求項４】
請求項３記載の照明付き飾り棚において、前記補助台の内部に前記電源部が設けられていることを特徴とする照明付き飾り棚。
【請求項５】
請求項４記載の照明付き飾り棚において、前記電源部の内部には電池が収納され、前記補助台に設けられた切り換えスイッチによって前記発光ダイオード群への電源が前記電池と外部のＡＣアダプターに切り換え可能となっていることを特徴とする照明付き飾り棚。
【考案の詳細な説明】
【技術分野】
【０００１】
本考案は、照明機能も有し、例えば招き猫の置物を飾って収納する照明付き飾り棚に関する。
【背景技術】
【０００２】
従来、招き猫等の縁起物は、購入後、神棚等に配置し大事に保管されているが、神棚には他に飾り物（例えば、神具）、お供え等を置く場合があり、これらを交換する際に縁起物を落下させて壊すことがある。更に、特許文献１に記載されているように、装飾具に宝石、模造宝石等を固着して装飾することも行われており、これらの装飾具を美しく見せるためには、照明を行うことが好ましい。
【０００３】
特許文献２には、照明器具を備えた飾り棚ユニットが提案されており、底板からなる棚部の上に置いた物を上部から照明器具にて光を当てるようにしている。
【先行技術文献】
【特許文献】
【０００４】
【特許文献１】特開２００５−３１９７１７号公報
【特許文献２】実開平７−１９４８０号公報
【考案の概要】
【考案が解決しようとする課題】
【０００５】
しかしながら、特許文献２記載の飾り棚ユニットは、壁内に埋め込まれて使用されることもあって、棚部の面積を大きくとることができず、小型の招き猫等の飾り物しか置けないという問題があり、更に棚部の手前には堰等はないので、棚部に置いた飾り物が落下し易いという問題があった。
【０００６】
本考案は、かかる事情に鑑みてなされたもので、飾り物が落下しにくく、しかも飾り物について上方だけではなく、側方からも照明を当てることができる照明付き飾り棚を提供することを目的とする。
【課題を解決するための手段】
【０００７】
前記目的に沿う本考案に係る照明付き飾り棚は、前後に貫通する複数の孔が設けられた正面視して円形の環状板と、該環状板の下部後ろ側に底板を介して連結される背面板と、前記環状板の下半分と前記背面板とを連結し、前記底板の上に載せる飾り物の落下を防止する左右の柵材と、前記環状板の内側円に沿って設けられ、前記飾り物を上方及び側方から照明する発光ダイオード群と、該発光ダイオード群に電力を供給する電源部とを有する。
【０００８】
本考案に係る照明付き飾り棚において、前記背面板は前記環状板の内側円より直径の小さい円板であって、上部に該照明付き飾り棚を壁に掛ける掛止孔が設けられているのが好ましい。
【０００９】
また、本考案に係る照明付き飾り棚において、前記底板の上には補助台があって、該補助台を介して前記飾り物が前記底板の上に載置されるのが好ましい。
【００１０】
本考案に係る照明付き飾り棚において、前記補助台の内部に前記電源部が設けられているのがより好ましい。この照明付き飾り棚において、前記電源部の内部には電池が収納され、前記補助台に設けられた切り換えスイッチによって前記発光ダイオード群への電源が前記電池と外部のＡＣアダプターに切り換え可能となっているのが更に好ましい。
【考案の効果】
【００１１】
本考案に係る照明付き飾り棚は、前後に貫通する複数の孔が設けられた正面視して円形の環状板と、環状板の下部後ろ側に底板を介して連結される背面板と、環状板の下半分と背面板とを連結し、底板の上に載せる飾り物が横移動して落下するのを防止する左右の柵材と、環状板の内側円に沿って設けられ、飾り物を上方及び側方から照明する発光ダイオード群と、発光ダイオード群に電力を供給する電源部とを有するので、底板の上に載せる飾り物を発光ダイオード群を構成する複数の発光ダイオードによって、上方及び側方から照明することができる。
【００１２】
特に、飾り物（例えば、招き猫、だるま、その他の人形等）に宝石（人造宝石、ガラス物、通称名又は商標名「スワロフスキー」を含む）等を散りばめた場合には、この宝石等に光が当たって屈折し、より装飾性が向上する。
また、正面にある環状板には前後に貫通する孔が設けられているので、この孔を利用して他の装飾物を例えば花輪状（リース状）に取り付けることができる。
【００１３】
特に、背面板が環状板の内側円より直径の小さい円板であって、上部に照明付き飾り棚を壁に掛ける掛止孔が設けられている場合は、この掛止孔を利用して、この照明付き飾り棚を壁に掛けることができる。
【００１４】
底板の上に補助台があって、補助台を介して飾り物が底板の上に載置される場合は、飾り物の載置高さを上げることができ、正面視して環状板の内側に飾り物を配置できる。
そして、この補助台の中に電源部が設けられている場合は、この部分から電源を供給することができる他、この照明付き飾り棚の重心の位置を下げることができる。
また、電源部の内部に電池が収納され、補助台に設けられた切り換えスイッチによって発光ダイオード群への電源が電池と外部のＡＣアダプターに切り換え可能となっている場合は、ＡＣ電源の供給を得て、発光ダイオード群を点灯できる。
【図面の簡単な説明】
【００１５】
【図１】本考案の一実施の形態に係る照明付き飾り棚の斜視図である。
【図２】同照明付き飾り棚に招き猫を載せた状態の正面図である。
【図３】同照明付き飾り棚に招き猫を載せた状態の側面図である。
【図４】同照明付き飾り棚に招き猫を載せていない状態の平面図である。
【図５】同照明付き飾り棚に招き猫を載せていない状態の背面図である。
【図６】同照明付き飾り棚の電気配線図である。
【考案を実施するための形態】
【００１６】
続いて、添付した図面を参照しながら、本考案を具体化した実施の形態について説明する。
図１〜図５に示すように、本考案の一実施の形態に係る照明付き飾り棚１０は、前後に貫通する複数の孔１１が設けられた正面視して円形の環状板１２と、環状板１２の下部後ろ側に、載置台となる底板１３を介して連結される背面板１４と、環状板１２の下半分と背面板１４とを連結し、底板１３の上に載せる飾り物の一例である招き猫１５が横移動して落下するのを防止する左右の柵材１６〜１９と、環状板１２の内側円２１に沿って設けられ、招き猫１５を上方及び側方から照明する発光ダイオード群２２と、発光ダイオード群２２に電力を供給する電源部２３とを有している。以下、これらについて詳しく説明する。
【００１７】
環状板１２、底板１３、背面板１４及び柵材１６〜１９は、木製（例えば、合板）又はプラスチック製からなって、この実施の形態においては、環状板１２の外径ｄ１は２８〜４０ｃｍ、幅ａは４〜６ｃｍとなって、厚みは４〜６ｍｍ程度となっている。なお、環状板１２の下部は水平に切断されて、図３に示すように、直線部２５は底板１３の底面と同一高さになっている。
【００１８】
一方、厚みが４〜６ｍｍの円板からなる背面板１４の直径ｄ２は環状板１２の外径ｄ１の０．５〜０．７５倍程度であって、背面板１４の下部も水平に切断され、その直線部２６と底板１３の底面は同一高さとなっている。なお、直線部２６の長さは、（０．５〜０．８）×ｄ２程度である。この実施の形態では、背面板１４の直径ｄ２は、環状板１２の内側円２１の直径より小さくなっている。
【００１９】
環状板１２と背面板１４とは、厚みが１５〜２５ｍｍの底板１３と、丸棒からなる柵材１６〜１９によって連結されている。なお、環状板１２と背面板１４は平行に配置され、その距離は、（０．３〜０．６）×ｄ１程度である。
環状板１２には前後に貫通する複数（この実施の形態では１１個）の円形の孔１１が設けられている。この孔１１は左右対称位置に形成され、直径ｄ３は環状板１２の幅ａの０．３〜０．５倍程度となっている。
【００２０】
この孔１１は環状板１２に花（造花を含む）、お守り、リボン等の小型飾り物を紐等で取り付けるためのもので、この環状板１２にこれらの小型飾り物を取り付けることによって、環状板１２をリース（ｗｒｅａｔｈ）状とすることができる。
また、背面板１４の上側にも直径が５〜１０ｍｍ程度の掛止孔２８が設けられているが、これはこの照明付き飾り棚１０を壁に掛けるためのものである。
【００２１】
底板１３の上は平面状となって、電源部２３が設けられた補助台の一例である箱体３０が設けられ、その箱体３０の上に招き猫１５が載置されている。招き猫１５は表面に宝石やクリスタルガラス、その他のガラス等で装飾されている。この招き猫１５の前後には環状板１２と背面板１４が、左右には柵材１６〜１９が設けられて、箱体３０及びその上に載った招き猫１５が落下しないようになっている。
【００２２】
電源部２３は、図６に示すように、箱体３０の内部に設けられた電池３１と、箱体３０の側部に設けられた切り換えスイッチ３２と、箱体３０の側部に設けられた外部電源接続コネクター３３とを有している。外部電源接続コネクター３３には、外部に設けられたＡＣアダプター３４より供給される低電圧の直流が供給されるようになっている。切り換えスイッチ３２は電池３１とＡＣアダプター３４との切り換えを行うものである。箱体３０は開閉可能な蓋を有し、内部の電池３１を交換できるようになっていると共に、箱体３０は底板１３に固定されているのが好ましい。
【００２３】
環状板１２の内側円２１の部分には、発光ダイオード群２２が半径方向内側に向けて設けられている。この発光ダイオード群２２は約１ｃｍピッチで白色の発光ダイオードが配置され、電池３１又はＡＣアダプター３４からの電源供給を受けて点灯するようになっている。なお、発光ダイオード群２２に供給する電源にオンオフの制御回路を設け、発光ダイオード群２２の一部又は全部を点滅させるようにすることもできる。
【００２４】
なお、この実施の形態においては、環状板１２と、底板１３及び柵材１６〜１９との連結、並びに、背面板１４と、底板１３及び柵材１６〜１９との連結には、金属製のビス３５、３６が使用されているが、接着剤であってもよい。
【００２５】
前記実施の形態においては、具体的寸法を示して照明付き飾り棚１０を説明したが、本考案は、その要旨を変更しない範囲で、寸法変更、形状変更をすることもできるし、更に、材料として、木材、プラスチック材の他に、セラミック材、ガラス材、金属材、竹材等を組み合わせて使用することもできる。
【符号の説明】
【００２６】
１０：照明付き飾り棚、１１：孔、１２：環状板、１３：底板、１４：背面板、１５：招き猫、１６〜１９：柵材、２１：内側円、２２：発光ダイオード群、２３：電源部、２５、２６：直線部、２８：掛止孔、３０：箱体、３１：電池、３２：切り換えスイッチ、３３：外部電源接続コネクター、３４：ＡＣアダプター、３５、３６：ビス
【図１】
0003173402.tif 000003
【図２】
0003173402.tif 000004
【図３】
0003173402.tif 000005
【図４】
0003173402.tif 000006
【図５】
0003173402.tif 000007
【図６】
0003173402.tif 000008